(57)【要約】【課題】剃り心地が良く且つ切れ味の良いシェーバ用ガードブレードおよびそれを使用したシェーバを提供する。【解決手段】シェーバ用ガードブレードの肌に接触する側の表面のみに印刷法により、少なくとも配列されたブレード細孔または細長貫通孔間のランド部に印刷被膜を施し、該印刷被膜がガードブレード裏面の細孔のエッジに及ばないものであり、該印刷被膜が全面印刷、またはブレード細孔配列間の交差線をもって印刷され多数の線状印刷で、線被膜幅（ｔ）が、１０〜３００μｍ、好ましくは３０〜１００μｍ、線被膜厚さ（ｈ）が２〜１００μｍ、好ましくは２〜５０μｍであるシェーバ用ガードブレードおよびそれを使用したシェーバ。【選択図】        図１
2004358138.tif 000002
【特許請求の範囲】
【請求項１】
シェーバー用ガードブレードの肌に接触する側の表面のみに印刷法により、配列されたブレード細孔間に印刷被膜を施こし、該印刷被膜がガードブレード裏面の細孔エッジに及ばないものであることを特徴とするシェーバー用ガードブレード。
【請求項２】
前記印刷被膜がシェーバー用ガードブレードの肌に接触する側の表面を全面印刷法により施されていることを特徴とする請求項１に記載のシェーバー用ブレード。
【請求項３】
前記印刷被膜が、線状印刷であり少なくともガードブレード細孔配列間の交差線をもってガードブレード表面に印刷され、且つ、該線状印刷の線被膜幅（ｔ）が１０〜３００μｍ、線被膜厚さ（ｈ）が２〜１００μｍであることを特徴とする請求項１に記載のシェーバー用ガードブレード。
【請求項４】
前記線状印刷の線幅被膜（ｔ）が３０〜１００μｍ、線被膜厚さ（ｈ）が２〜５０μｍであることを特徴とする請求項１または３に記載のシェーバー用ガードブレード。
【請求項５】
前記線状印刷の線間ピッチが２０〜１０００μｍであることを特徴とする請求項１、３または４のいずれか１項に記載のシェーバー用ガードブレード。
【請求項６】
前記印刷被膜が、少なくともガードブレード細孔の印刷側表面におけるひげ剃り方向に面する細孔のエッジを含む部分を非印刷部分としていることを特徴とする請求項１〜５のいずれか１項に記載のシェーバー用ガードブレード。
【請求項７】
シェーバー用ガードブレードの少なくともカミソリ刃先に添った折り曲げラインを構成する細長孔ランド部に、印刷被膜が施されていることを特徴とする請求項１〜５のいずれか１項に記載のシェーバー用ガードブレード。
【請求項８】
前記印刷被膜が、スクリーン印刷、パッド印刷、オフセット印刷またはグラビア印刷のいずれかによるものであることを特徴とする請求項１〜７のいずれか１項に記載のシェーバー用ガードブレード。
【請求項９】
前記請求項１〜８のいずれか１項に記載のシェーバー用ガードブレードを使用したシェーバー。
【発明の詳細な説明】
【０００１】
【発明の属する技術分野】
本発明は、剃り心地がよく、且つ、切れ味のよいシェーバー用ガードブレードに関するものである。
【０００２】
【従来の技術】
昨今、ひげ剃りに用いられるカミソリの主流は電気シェーバーとなっている。通常電気シェーバーは多数の細孔を配列したいわゆる電気シェーバー用ガードブレード（以下、ガードブレードと云う）と、その内側において接触回転乃至往復動する内刃よりなっている。従って、ひげ剃りの原理は前記細孔に導入された髭を細孔のエッジと内刃のエッジとにより剪断するものである。従って、電気シェーバーに求められる基本的な特性としては、エッジによる剪断の良さ、すなわち切れ味の良さと、ブレードの肌との接触が滑らかなことおよび髭毛の細孔へのスムーズな導入、すなわち剃り心地の良さとが要求される。
【０００３】
また、柄付きの軽便シェーバー、特に婦人向けを対象とした軽便シェーバーなどでは、刃の横滑りによる肌への切傷防止や取り扱い上の安全性を考慮して、カミソリ刃を細長孔を連続的に設けた軽便シェーバー用ガードブレード（以下、ガードブレードという）によりカバーし、カミソリの刃先を細長孔部にのみ肌に面して露出させてシェービングする形のものが見受けられる。しかしこの場合も、ステンレス製のガードブレードは肌との接触感が必ずしも滑らかで良好であるとは言えないものであった。
【０００４】
この内、従来も切れ味の良さについては、ブレード自身の材料的改善やブレード厚の薄厚化による改善等が試みられている。（例えば、特許文献１参照）
また、カミソリの剃り心地の改善のために各種の有機材料を刃面にコーティングし、肌との接触を滑らかにすることにより、剃り心地を改善することが行われている。（例えば、特許文献２参照）
【０００５】
【特許文献１】
特開昭５５−５８９３５号公報（第１頁左欄下より１〜１６行）
【特許文献２】
特開昭４６−１１３９号公報（第１頁左欄１７〜２５行）
【０００６】
【発明が解決しようとする課題】
しかしながら、前記の切れ味の良さと、剃り心地の良さの両者を十分に満足するガードブレードについては、必ずしも要求を満足されているとは言えない。
剃り心地は、一義的には該ガードブレードと皮膚間の摩擦を少なくして滑らかな滑りを良くすること、および髭や肌毛を如何にスムーズに細孔に導入するかにかかっており、また切れ味の良さは剪断エッジのシャープさにかかっていると言えよう。
【０００７】
この剃り心地を改善する目的のために、従来、ガードブレードの表面に４フッ化エチレン樹脂等のコーティングを施すことが行われている。この従来のコーティングにより剃り心地を改善したものは、図５に示すようにガードブレードの剪断エッジ７にコーティング被覆７０が存在し、これが切れ味を劣化させてしまう不具合が生じていた。また、これを避けるため該エッジ部の被覆を取り除く、乃至エッジ部への被覆防止をする必要があり、このためには、それなりの別途技術を必要とし、且つ、時間、労力によるコストアップをもたらしていた。
【０００８】
本発明は、上記に鑑み、剃り心地がよく、且つ、切れ味のよいシェーバー用ガードブレードおよびそれを使用したシェーバーを提供することを目的としている。
【０００９】
【課題を解決するための手段】
本発明のシェーバー用ガードブレードは、
（１）  シェーバー用ガードブレードの肌に接触する側の表面のみに印刷法により、配列されたブレード細孔間に印刷被膜を施こし、該印刷被膜がブレード裏面の細孔のエッジに及ばないものとしたものである。
【００１０】
（２）上述（１）における印刷被膜をシェーバー用ガードブレードの肌に接触する側の表面のみを全面印刷法により施したものであり、
（３）また、上述（１）における印刷被膜を線状印刷とし、少なくともブレード細孔配列間の交差線をもってブレード表面に印刷し、且つ、該線状印刷の線被膜幅（Ｂ）を１０〜３００μｍ、線被膜厚さ（Ｔ）を２〜１００μｍとしたものであり、
（４）さらに、上述（１）または（３）における線状印刷の線被膜幅（Ｂ）を３０〜１００μｍ、線被膜厚さ（Ｔ）を２〜５０μｍとしたものである。
【００１１】
また、本発明のシェーバー用ガードブレードは、
（５）上述の（１）、（３）、（４）のいずれかにおける線状印刷の線間ピッチを、２０〜１０００μｍとしたものであり、
（６）上述（１）〜（５）のいずれかにおける印刷被膜が、少なくともブレード細孔の印刷側表面におけるひげ剃り方向に面する細孔エッジを含む部分を非印刷部分としたものであり、
（７）上述（１）〜（５）のいずれかにおいて、シェーバー用ガードブレードの少なくともカミソリ刃先に添った折り曲げラインを構成する細長孔ランド部に、前記印刷被膜が施されているものであり、
（８）上述の（１）〜（７）における前記印刷被膜が、スクリーン印刷、パッド印刷、オフセット印刷またはグラビア印刷により印刷されたものである。
【００１２】
さらに、本発明のシェーバーは、
（９）上述の（１）〜（８）のいずれかのシェーバー用ガードブレードを使用したことを特徴とするものである。
【００１３】
【発明の実施の形態】
［実施の形態１］
図１は、本発明の実施の形態１における、電気シェーバー用のガードブレードの表面を説明するための模式図である。
図２は、本発明の実施の形態１における、ガードブレードの断面の１例を示す説明図である。
図３は、本発明の実施の形態１における、ガードブレードの表面を拡大した説明図である。
図において、１はシェーバー用ガードブレード、２は表面、３は細孔、４は印刷被膜、４１は全面印刷による印刷被膜、６は裏面、７はブレードの裏面エッジ、ｈは印刷被膜の厚さである。
なお、図１において、連続配列する細孔および印刷部は、一部これを省略して記載されている。
【００１４】
本実施の形態においては、既成ブレード（Ｓ社製）を利用し下記仕様にて作成した。
2004358138.tif 000003
【００１５】
各被膜厚さｈを調整しサンプル数各１０を作成した。上記各仕様のガードブレードをＳ社製シェーバーに取り付け、印刷被膜無しの従来のガードブレードと比較し剃り心地および切れ味を試験した。試験サンプル数は各１０である。比較試験の結果を表１に示す。
細孔内における印刷インキの被りについては、ほぼ印刷厚さに相当する程度の被りが見受けられたが、ｈ１〜ｈ３ではいずれも裏面エッジ部までには至っていないことが確認された。
本実施の形態のものは、切れ味は従来のものと殆ど変化無く、剃り心地は明らかに本実施の形態の方が勝っていることが確認された。
なお、被膜厚さｈについては、２μｍ以下では印刷が不可能でありまた作業性が極めて悪くなり、またｈ４のものでは印刷インキがブレード裏面エッジにまで達しているものがあり、切れ味を劣化させている。特に１００μｍを越えるものでは裏面エッジが印刷インキにより覆われ好ましくない。従って、被膜厚さとしては２〜１００μｍ、好ましくは作業性および経済的な観点から２〜５０μｍが望ましい。
【００１６】
なお、裏面エッジへの被りは、使用インキの塑性粘度（ポアズ）により異なるので、被膜厚さは塑性粘度とのバランスにより決めることが好ましい。また、前記印刷方法は、全面印刷に対しては本実施の形態におけるスクリーン法が好ましいが、パッド法、オフセット法またはグラビア印刷を使用することもできる。
【００１７】
【表１】
2004358138.tif 000004
【００１８】
［実施の形態２］
図４は、本発明の実施の形態２における、ガードブレードの表面を拡大した説明図である。
図において、４２は線状印刷、５は細孔の剃り方向細孔エッジである。
なお、その他の部分については、前実施の形態１における記載に準じており、その説明を省略する。
【００１９】
本実施の形態においては、既成ガードブレード（Ｓ社製）を利用し下記仕様にて作成した。
2004358138.tif 000005
【００２０】
線状印刷の線間ピッチは、配列された細孔のピッチ間のほぼ中央に線状印刷が位置するように、パッド印刷にて線状印刷した。各線被膜厚さｈを調整しサンプル数各１０を作成した。これを既成シェーバーに取り付け、実体によりその切れ味、および剃り心地の良否を従来のものと比較試験した。試験結果を表２に示す。
【００２１】
【表２】
2004358138.tif 000006
【００２２】
線状印刷（線被膜幅ｔ３０〜１００μｍ）により、剃り心地は従来のものに比べ格段の向上が確認された。また、切れ味も概ね従来ブレードに比し遜色を認められない。前記実施の形態１における、切れ味に比べ本実施の形態のものは、より良いと判断される。これは実施の形態に比べ、線状印刷の印刷線と細孔の剃り方向の非印刷部分との性状差（摩擦係数の差および段差構造差）により髭毛の細孔への導入がよりスムースになっているためと思われる。
線被膜厚さｈ３では、ｈ１、ｈ２に比べ若干切れ味に差があるように見受けられるが、これは先の髭毛の細孔への導入の微妙な差によるものと思われる。
【００２３】
線被膜厚さが２μｍ以下では、線状印刷が線切れ等が生じ好ましくない。また１００μｍ以上は線状印刷そのものが形成出来ない。従って線被膜厚さｈは、２〜１００μｍ、好ましくは２〜５０μｍが望ましい。
【００２４】
［実施の形態３］
図６は、本発明の実施の形態３における、カミソリ刃をガードブレードにてカバーした軽便シェーバーの１例を示す説明図である。
図７は、本実施の形態３における、ガードブレードの１例を示す拡大説明図である。
図８は、本実施の形態３における、ガードブレードにてカバーされたカミソリ刃の状態を部分拡大し説明するための模式図である。
図において、４は印刷被膜、８は軽便シェーバー、９はシェーバー用ガードブレード、９１は細長貫通孔、９２は細長貫通孔ランド部、１０はカミソリ刃部、１１はカミソリ刃先部、Ａは折り曲げラインである。
なお、その他の部分については、前実施の形態１における記載に準じており、その説明を省略する。
【００２５】
本実施の形態３におけるシェーバー用ガードブレード９の仕様は下記のとおりである。
2004358138.tif 000007
【００２６】
上記により印刷被膜を印刷されたガードブレード９を、折り曲げラインＡに沿って折り曲げ、カミソリ刃の刃先部に密着した状態で軽便シェーバーに嵌め込んだ軽便シェーバー８を、印刷被膜なしのガードブレードを嵌め込んだ軽便シェーバーと対比して腕部における肌毛をシェービング比較試験をした。
比較試験の結果、切れ味は両者殆ど変化なく、剃り心地良否判定では印刷被膜なしの場合の「やや劣る」に対して、本実施の形態のものは「極めて良い」の判定が認められた。
【００２７】
なお、本実施の形態３は、印刷被膜４が線状印刷による場合であるが、細長貫通孔ランド部表面全体を同様印刷による印刷しても良い。この場合は、軽便シェーバー用のガードブレードでは、Ａラインにての折り曲げ性を考慮されてその厚みが薄く制作されており、そのため印刷厚さを考慮する必要がある。
逆に、剃り心地の効果を長く維持するためには、印刷厚みを厚くする必要があり、この場合は本実施の形態３のごとく、細長貫通孔に印刷が掛からない線状印刷であることが望ましい。
【００２８】
上述の各実施の形態においては、それぞれ１実施例について説明されているが、この範囲に条件限定されるものではなく、本発明の目的と特許請求の範囲の範囲内において適宜選択することができる。
また、本発明の印刷に使用されるインキは、通常の印刷用インキに限定されるものではなく、通常の印刷用インキにフッ素樹脂を適量混合したもの、またはフッ素樹脂塗料をそのまま使用することもできる。
【００２９】
【発明の効果】
（１）シェーバー用ガードブレードの肌に接触する側の表面のみに印刷法により、配列されたブレード細孔間に印刷被膜を施こし、該印刷被膜がブレード裏面のエッジに及ばないものとすることにより、切れ味が良く且つ、剃り心地がよいシェーバー用ガードブレードを供給することができる。
（２）前記印刷被膜をシェーバー用ガードブレードの肌に接触する側の表面に全面印刷法により施すことにより、切れ味が良く、且つ剃り心地が良いシェーバー用ガードブレードを安価に供給することができる。
（３）前記印刷被膜を線状印刷とし少なくともガードブレード細孔配列間の交差線をもってガードブレード表面に印刷し、且つ、該線状印刷の線被膜幅（ｔ）を１０〜３００μｍ、線被膜厚さ（ｈ）を２〜１００μｍとすることにより、切れ味が良く、且つ剃り心地がより良いシェーバー用ガードブレードを供給できる。
【００３０】
（４）前記線状印刷の線幅被膜（ｔ）を３０〜１００μｍ、線被膜厚さ（ｈ）を２〜５０μｍとすることにより、（５）また、前記線状印刷の線間ピッチを２０〜１０００μｍとすることにより、（６）さらに、前記印刷被膜を、少なくともブレード細孔の印刷側表面におけるひげ剃り方向に面するエッジを含む部分が非印刷部分を構成しているものとしたことにより、（７）前記印刷被膜を、スクリーン印刷、パッド印刷、オフセット印刷またはグラビア印刷のいずれかで行うことにより、量産的により剃り心地の良い、切れ味の安定したシェーバー用ガードブレードを提供することができる。
【００３１】
（８）本発明は、上述の（１）〜（７）のいずれかに記載のシェーバー用ガードブレードを使用することにより、切れ味の良い、且つ剃り心地の良いシェーバーを提供することが出来る。
【図面の簡単な説明】
【図１】本発明の実施の形態１における、電気シェーバー用ガードブレードの表面を説明するための模式図である。
【図２】本発明の実施の形態１における、ガードブレードの断面の１例を示す説明図である。
【図３】本発明の実施の形態１における、ガードブレードの表面を拡大した説明図である。
【図４】本発明の実施の形態２における、ガードブレードの表面を拡大した説明図である。
【図５】従来のコーティングブレードの断面の１例を示す説明図である。
【図６】本発明の実施の形態３における、カミソリ刃をガードブレードにてカバーした軽便シェーバーの１例を示す説明図である。
【図７】本実施の形態３における、ガードブレードの１例を示す拡大説明図である。
【図８】本実施の形態３における、ガードブレードにてカバーされたカミソリ刃の状態を部分拡大し説明するための模式図である。
【符号の説明】
１  シェーバー用ガードブレード、２  表面、３  細孔、４  印刷被膜、４０コーティング被膜、４１  全面印刷被膜、４２  線状印刷被膜、５  剃り方向エッジ、６  裏面、７  裏面エッジ、７０  コーティングエッジ、８  軽便シェーバー、９  シェーバー用ガードブレード、９１  細長貫通孔、９２  細長貫通孔ランド部、１０  カミソリ刃部、１１  カミソリ刃先部、Ａ  折り曲げライン、ｈ  線被膜厚さ、ｔ  線被膜幅、ｐ  線間ピッチ。
【図１】
2004358138.tif 000008
【図２】
2004358138.tif 000009
【図３】
2004358138.tif 000010
【図４】
2004358138.tif 000011
【図５】
2004358138.tif 000012
【図６】
2004358138.tif 000013
【図７】
2004358138.tif 000014
【図８】
2004358138.tif 000015